(57)【特許請求の範囲】
【請求項１】
周波数混合回路の出力端と中間周波増幅回路の入力端との間に接続される中間周波入力回路であって、一対の入力端及び一対の出力端と、前記一対の入力端間に接続された選択チャネルの中間周波数に共振する並列共振回路と、前記一対の入力端の一方と前記一対の出力端の一方との間に接続された上側隣接チャネルの中間周波数成分をトラップする第１トラップ回路及び第１抵抗の直列回路と、前記一対の入力端の他方と前記一対の出力端の他方との間に接続された下側隣接チャネルの中間周波数成分をトラップする第２トラップ回路及び第２抵抗の直列回路と、前記一対の出力端間に接続された第３抵抗及びコンデンサの並列回路とからなることを特徴とする中間周波入力回路。
【発明の詳細な説明】
【０００１】
【発明の属する技術分野】
本発明は、中間周波入力回路に係わり、特に、周波数混合回路の出力端と中間周波増幅回路の入力端との間に接続され、選択チャネルの中間周波数特性や上側及び下側隣接チャネルの各中間周波数成分のトラップ特性の選択が可能な中間周波入力回路に関する。
【０００２】
【従来の技術】
従来、テレビジョンチューナにおいては、周波数混合回路の出力端と中間周波増幅回路の入力端との間に、選択チャネルの中間周波数を選択的に通過させ、その中間周波数の近傍にある不要な周波数成分、例えば上側隣接チャネルの中間周波数成分や下側隣接チャネルの中間周波数成分を除去する中間周波入力回路を接続し、高レベルの不要な周波数成分が中間周波増幅回路に入力されないようにしている。
【０００３】
ここで、図４は、既知の代表的な中間周波入力回路の構成の一例を示す回路図である。
【０００４】
図４に示されるように、中間周波入力回路４１は、前段に配置された周波数混合回路４２と、次段に配置された中間周波増幅回路４３との間に接続される。
【０００５】
中間周波入力回路４１は、一対の入力端４１1 、４１2 と、一対の出力端４１3 、４１4 と、電源端子４１5 と、第１コンデンサ４４と、中間タップ付の第１インダクタ４５と、第２コンデンサ４６と、第２インダクタ４７と、第３インダクタ４８と、第３コンデンサ４９と、第４コンデンサ５０と、第１抵抗５１と、第５コンデンサ５２と、第２抵抗５３とからなる。また、周波数混合回路４２は、一対の出力端４２1 、４２2 とベース接地接続された一対の出力トランジスタ５４、５５とを含み、中間周波増幅回路４３は、一対の入力端４３1 、４３2 とエミッタ接地接続された一対の入力トランジスタ５６、５７とを含んでいる。
【０００６】
そして、中間周波入力回路４１において、一対の入力端４１1 、４１2 間に第１コンデンサ４４と第１インダクタ４５が並列接続され、第１インダクタ４５の中間タップが電源端子４１5 に接続される。一方の入力端４１1 と一方の出力端４１3 との間に第２コンデンサ４６と第２インダクタ４７の並列接続回路と第４コンデンサ５０と第１抵抗５１とが直列接続され、他方の入力端４１2 と他方の出力端４１4 との間に第３インダクタ４８と第３コンデンサ４９の並列接続回路と第５コンデンサ５２と第２抵抗５３とが直列接続される。また、周波数混合回路４２において、出力トランジスタ５４のコレクタが一方の出力端４２1 に接続され、出力トランジスタ５５のコレクタが他方の出力端４２2 に接続される。中間周波増幅回路４３において、一方の入力トランジスタ５６のベースが一方の入力端４３1 に接続され、他方の入力トランジスタ５７はのベースが他方の入力端４３2 に接続される。さらに、中間周波入力回路４１の一対の入力端４１1 、４１2 は、周波数混合回路４２の一対の出力端４２1 、４２2 に接続され、中間周波入力回路４１の一対の出力端４１3 、４１4 は、中間周波増幅回路４３の一対の入力端４３1 、４３2 に接続される。
【０００７】
この場合、中間周波入力回路４１において、第１コンデンサ４４と第１インダクタ４５は、選択チャネルの中間周波数に並列共振するようにそれらの容量値とインダクタンス値が選択されている。第２コンデンサ４６と第２インダクタ４７は、上側隣接チャネルの中間周波数成分に並列共振するようにそれらの容量値とインダクタンス値が選択され、上側隣接チャネルの中間周波数成分をトラップする第１トラップ回路を構成する。第３インダクタ４８と第３コンデンサ４９は、下側隣接チャネルの中間周波数成分に並列共振するようにそれらの容量値とインダクタンス値が選択され、下側隣接チャネルの中間周波数成分をトラップする第２トラップ回路を構成している。
【０００８】
前記構成による既知の中間周波入力回路４１は、次のように動作する。
【０００９】
周波数混合回路４２の一対の出力端４２1 、４２2 から不要な周波数成分を含んだ選択チャネルの中間周波数の信号（これらを中間周波信号という）が出力されると、その中間周波信号は一対の入力端４１1 、４１2 から中間周波入力回路４１に入力される。このとき、中間周波入力回路４１においては、第１コンデンサ４４と第１インダクタ４５とからなる並列共振回路によって、中間周波信号の中から選択チャネルの中間周波数が選択され、次いで、第２コンデンサ４６と第２インダクタ４７とからなる上側隣接チャネルの中間周波数成分の第１トラップ回路によって、選択チャネルの中間周波数における選択チャネルの上側隣接チャネルの中間周波数成分がトラップされるとともに、第３インダクタ４８と第３コンデンサ４９とからなる下側隣接チャネルの中間周波数成分の第２トラップ回路によって、選択チャネルの中間周波数における選択チャネルの下側隣接チャネルの中間周波数成分がトラップされる。続いて、第１トラップ回路を通った中間周波信号は、第４コンデンサ（結合コンデンサ）５０を通り、第１抵抗５１でレベル調整され、一方の出力端４１3 に供給され、同時に、第２トラップ回路を通った中間周波信号は、第５コンデンサ（結合コンデンサ）５２を通り、第２抵抗５３でレベル調整され、他方の出力端４１4 に供給される。その後、一対の出力端４１3 、４１4 に得られた中間周波信号は、中間周波増幅回路４３の一対の入力端４３1 、４３2 に供給され、一対の入力トランジスタ５６、５７によって増幅される。
【００１０】
図５は、図４に図示された中間周波入力回路４１における周波数特性の一例を示す特性図である。
【００１１】
図５において、Ｐは選択チャネルの中間周波数におけるピクチャ周波数、Ｓは選択チャネルの中間周波数におけるサウンド周波数、Ｔ１は選択チャネル（Ｎ）の下側隣接チャネル（Ｎ−１）の中間周波数成分、Ｔ２は選択チャネル（Ｎ）の上側隣接チャネル（Ｎ＋１）の中間周波数成分である。
【００１２】
図５に示されるように、既知の中間周波入力回路４１は、選択チャネルの中間周波数に対して選択特性を有するとともに、下側隣接チャネル及び上側隣接チャネルの中間周波数成分に対してそれぞれトラップ特性を有している。
【００１３】
【発明が解決しようとする課題】
前記既知の中間周波入力回路４１は、図５に示されるように、選択チャネルの中間周波数に対して選択特性を有し、かつ、下側隣接チャネル及び上側隣接チャネルの中間周波数成分に対してそれぞれトラップ特性を有するものであるが、選択チャネルの中間周波数のピークレベルと下側隣接チャネルの中間周波数成分のトラップレベルとのレベル差が約１１．４ｄＢ程度であり、また、選択チャネルの中間周波数のピークレベルと上側隣接チャネルの中間周波数成分のトラップレベルとのレベル差が約９．０ｄＢ程度であることから、不要な周波数成分となる下側隣接チャネルの中間周波数成分や上側隣接チャネルの中間周波数成分の除去が極めて不十分であり、しかも、選択チャネルの中間周波数に対する利得もこれまた不十分である。
【００１４】
本発明は、このような技術的背景に鑑みてなされたもので、その目的は、選択チャネルの中間周波数に対して高い利得が得られ、かつ、上側隣接チャネルや下側隣接チャネルの各中間周波数成分に対して高いトラップ特性を有する中間周波入力回路を提供することにある。
【００１５】
【課題を解決するための手段】
前記目的を達成するために、本発明による中間周波入力回路は、周波数混合回路の出力端と中間周波増幅回路の入力端との間に接続されるものであって、一対の入力端及び一対の出力端と、一対の入力端間に接続された選択チャネルの中間周波数に共振する並列共振回路と、一対の入力端の一方と一対の出力端の一方との間に接続された上側隣接チャネルの中間周波数成分をトラップする第１トラップ回路及び第１抵抗の直列回路と、一対の入力端の他方と一対の出力端の他方との間に接続された下側隣接チャネルの中間周波数成分をトラップする第２トラップ回路及び第２抵抗の直列回路と、一対の出力端間に接続された第３抵抗及びコンデンサの並列回路とからなる構成を具備する。
【００１６】
前記構成によれば、一対の出力端間に第３抵抗及びコンデンサの並列回路を接続したことにより、これまでのこの種の中間周波入力回路の特性に比べて、選択チャネルの中間周波数に対して高利得特性を得ることができるだけでなく、上側隣接チャネルの中間周波数成分及び下側隣接チャネルの中間周波数成分に対してそれぞれ高いトラップ特性を得ることができるようになり、中間周波入力回路の特性を全体的に良好にすることができる。
【００１７】
【発明の実施の形態】
以下、本発明の実施の形態を図面を参照して説明する。
【００１８】
図１は、本発明による中間周波入力回路の一つの実施の形態を示す回路構成図である。
【００１９】
図１に示されるように、この実施の形態による中間周波入力回路１は、既知の中間周波入力回路４１と同様に、前段に配置された高出力インピーダンス特性を示す周波数混合回路２と、次段に配置された低入力インピーダンス特性を示す中間周波増幅回路３との間に接続される。
【００２０】
中間周波入力回路１は、一対の入力端１1 、１2 と、一対の出力端１3 、１4 と、電源端子１5 と、第１コンデンサ４と、中間タップ付の第１インダクタ５と、第２コンデンサ６と、第２インダクタ７と、第３インダクタ８と、第３コンデンサ９と、第４コンデンサ１０と、第１抵抗１１と、第５コンデンサ１２と、第２抵抗１３と、第３抵抗１４と、第６コンデンサ１５とからなる。また、周波数混合回路２は、一対の出力端２1 、２2 とベース接地接続された一対の出力トランジスタ１６、１７とを含み、中間周波増幅回路３は、一対の入力端３1 、３2 とエミッタ接地接続された一対の入力トランジスタ１８、１９と、抵抗２０と、コンデンサ２１とを含んでいる。
【００２１】
そして、中間周波入力回路１において、一対の入力端１1 、１2 間には第１コンデンサ４と第１インダクタ５が並列接続され、第１インダクタ５の中間タップが電源端子１5 に接続される。一方の入力端１1 と一方の出力端１3 との間には第２コンデンサ６と第２インダクタ７の並列接続回路（後述する第１トラップ回路）と第４コンデンサ１０と第１抵抗１１とが直列接続され、他方の入力端１2 と他方の出力端１4 との間には第３インダクタ８と第３コンデンサ９の並列接続回路（後述する第２トラップ回路）と第５コンデンサ１２と第２抵抗１３とが直列接続される。一対の出力端１3 、１4 間には第３抵抗１４と第６コンデンサ１５が並列接続される。
【００２２】
また、周波数混合回路２において、一方の出力トランジスタ１６はコレクタが一方の出力端２1 に接続され、他方の出力トランジスタ１７はコレクタが他方の出力端２2 に接続される。中間周波増幅回路３において、一対の入力端３1 、３2 間には抵抗２０と、コンデンサ２１が並列接続され、一方の入力トランジスタ１８はベースが一方の入力端３1 に接続され、他方の入力トランジスタ１９はベースが他方の入力端３2 に接続される。さらに、中間周波入力回路４１の一対の入力端１1 、１2 は、周波数混合回路２の一対の出力端２1 、２2 に接続され、中間周波入力回路１の一対の出力端１3 、１4 は、中間周波増幅回路３の一対の入力端３1 、３2 に接続される。
【００２３】
この場合、中間周波入力回路１において、第１コンデンサ４と第１インダクタ５は、選択チャネルの中間周波数に並列共振するようにそれらの容量値及びインダクタンス値が選択される。第２コンデンサ６と第２インダクタ７は、上側隣接チャネルの中間周波数成分に並列共振するようにそれらの容量値及びインダクタンス値が選択され、上側隣接チャネルの中間周波数成分をトラップする第１トラップ回路を構成する。第３インダクタ８と第３コンデンサ９は、下側隣接チャネルの中間周波数成分に並列共振するようにそれらの容量値及びインダクタンス値が選択され、下側隣接チャネルの中間周波数成分をトラップする第２トラップ回路を構成する。また、第３抵抗１４は、その抵抗値を調整することにより、上側隣接チャネルの中間周波数成分及び下側隣接チャネルの中間周波数成分の各トラップ特性が調整できるものであり、第６コンデンサ１５は、その容量値を調整することにより、選択チャネルの中間周波数帯域幅を調整できるものである。
【００２４】
前記構成を有する中間周波入力回路１は、次のように動作する。
【００２５】
周波数混合回路２の一対の出力端２1 、２2 から不要な周波数成分を含んだ選択チャネルの中間周波数の信号（ここでも、これらを中間周波信号という）が出力されると、その中間周波信号は一対の入力端１1 、１2 から中間周波入力回路１に入力される。このとき、中間周波入力回路１は、選択チャネルの中間周波数に並列共振する第１コンデンサ４と第１インダクタ５とからなる並列共振回路において、中間周波信号の中の選択チャネルの中間周波数が主として選択され、次に、第２コンデンサ６と第２インダクタ７とからなり、上側隣接チャネルの中間周波数成分をトラップする第１トラップ回路において、選択チャネルの中間周波数における選択チャネルの上側隣接チャネルの中間周波数成分がトラップされるとともに、第３インダクタ８と第３コンデンサ９とからなり、下側隣接チャネルの中間周波数成分をトラップする第２トラップ回路において、選択チャネルの中間周波数における選択チャネルの下側隣接チャネルの中間周波数成分がトラップされる。次いで、第１トラップ回路によって上側隣接チャネルの中間周波数成分がトラップされた中間周波信号は、結合コンデンサである第４コンデンサ１０を通り、第１抵抗１１においてそのレベルが調整され、同時に、第２トラップ回路によって下側隣接チャネルの中間周波数成分がトラップされた中間周波信号は、結合コンデンサである第５コンデンサ１２を通り、第２抵抗１３においてそのレベル調整される。続いて、中間周波信号は、第３抵抗１４と第６コンデンサ１５との並列回路において、中間周波帯域幅、中間周波数ピークレベル、中間周波数ピークレベルと下側隣接チャネルの中間周波数成分のトラップレベルとのレベル差、中間周波数ピークレベルと上側隣接チャネルの中間周波数成分のトラップレベルとのレベル差がそれぞれ調整され、一対の出力端１3 、１4 に供給される。この後、一対の出力端１3 、１4 に供給された中間周波信号は、中間周波増幅回路３の一対の入力端３1 、３2 に印加され、一対の入力トランジスタ１８、１９によって増幅される。
【００２６】
ここで、第３抵抗１４の抵抗値と第６コンデンサ１５の容量値によって、中間周波信号の各部分が調整される状態についてさらに詳細に説明する。
【００２７】
まず、第３抵抗１４の抵抗値を小さくして行くと、中間周波数ピークレベルが順次低下するものの、下側隣接チャネルの中間周波数成分のトラップレベルと上側隣接チャネルの中間周波数成分のトラップレベルとが中間周波数ピークレベルの低下よりも大きく低下し、中間周波数ピークレベルと下側隣接チャネルの中間周波数成分のトラップレベルとの差（抑圧比）及び中間周波数ピークレベルと上側隣接チャネルの中間周波数成分のトラップレベルとの差（抑圧比）が大きくなる。一方、第３抵抗１４の抵抗値を大きくして行くと、中間周波数ピークレベルが順次増大するものの、下側隣接チャネルの中間周波数成分のトラップレベルと上側隣接チャネルの中間周波数成分のトラップレベルとが中間周波数ピークレベルの増大よりも大きく増大し、中間周波数ピークレベルと下側隣接チャネルの中間周波数成分のトラップレベルとの差（抑圧比）及び中間周波数ピークレベルと上側隣接チャネルの中間周波数成分のトラップレベルとの差（抑圧比）が小さくなる。
【００２８】
次に、第６コンデンサ１５の容量値を大きくして行くと、選択チャネルの中間周波帯域における高域側帯域が順次拡がるようになり、一方、第６コンデンサ１５の容量値を小さくして行くと、選択チャネルの中間周波帯域における高域側帯域が順次狭まるようになる。
【００２９】
この他に、第１抵抗１１の抵抗値を小さくして行くと、選択チャネルの中間周波帯域の高域側レベルが順次増大し、第１抵抗１１の抵抗値を大きくして行くと、選択チャネルの中間周波帯域の高域側レベルが順次減少する。同じように、第２抵抗１３の抵抗値を小さくして行くと、選択チャネルの中間周波帯域の低域側レベルが順次増大し、第２抵抗１３の抵抗値を大きくして行くと、選択チャネルの中間周波帯域の低域側レベルが順次減少する。
【００３０】
図２は、図１に図示された中間周波入力回路１における周波数特性の一例を示す特性図であり、図３は、図１に図示された中間周波入力回路１における周波数特性の他の一例を示す特性図であって、図２と図３の特性の違いは、第３抵抗１４の抵抗値を異ならせたものである。
【００３１】
図２及び図３において、Ｐは選択チャネルの中間周波数におけるピクチャ周波数、Ｓは選択チャネルの中間周波数におけるサウンド周波数、Ｔ１は選択チャネル（Ｎ）の下側隣接チャネル（Ｎ−１）の中間周波数成分、Ｔ２は選択チャネル（Ｎ）の上側隣接チャネル（Ｎ＋１）の中間周波数成分である。
【００３２】
図２に示されるように、中間周波入力回路１において、第３抵抗１４の抵抗値を高い値に選んだ場合（以下、これを第１の実施の形態という）は、中間周波数ピークレベルが大きくなっているのに対して、中間周波数ピークレベルと下側隣接チャネルの中間周波数成分のトラップレベルとの差（抑圧比）が１９．０ｄＢであり、中間周波数ピークレベルと上側隣接チャネルの中間周波数成分のトラップレベルとの差（抑圧比）が１５．５ｄＢである。そして、第１の実施の形態による中間周波入力回路１のこれらの抑圧比（１９．０ｄＢ、１５．５ｄＢ）と、図５に図示された既知の中間周波入力回路４１における対応する抑圧比（１１．４ｄＢ、９．０ｄＢ）とを比べれば、第１の実施の形態による中間周波入力回路１の抑圧比の方が格段に大きく、抑圧比が大きい中間周波入力回路１を得ることができるものである。
【００３３】
一方、図３に示されるように、中間周波入力回路１において、第３抵抗１４の抵抗値を低い値に選んだ場合（以下、これを第２の実施の形態という）は、中間周波数ピークレベルが第１の実施の形態の中間周波入力回路１に比べると、若干小さくなっているものの、中間周波数ピークレベルと下側隣接チャネルの中間周波数成分のトラップレベルとの差（抑圧比）が２１．５ｄＢであり、中間周波数ピークレベルと上側隣接チャネルの中間周波数成分のトラップレベルとの差（抑圧比）が１６．０ｄＢである。そして、第２の実施の形態による中間周波入力回路１のこれらの抑圧比（２１．５ｄＢ、１６．０ｄＢ）と、図５に図示された既知の中間周波入力回路４１における対応する抑圧比（１１．４ｄＢ、９．０ｄＢ）とを比べれば、第２の実施の形態による中間周波入力回路１の抑圧比の方がさらに格段に大きく、抑圧比が大きい中間周波入力回路１を得ることができるものであり、しかも、第１の実施の形態による中間周波入力回路１と比べても、抑圧比がさらに大きい中間周波入力回路１を得ることができるものである。
【００３４】
【発明の効果】
以上のように、本発明によれば、一対の出力端間に第３抵抗及びコンデンサ（第６コンデンサ）の並列回路を接続したことにより、これまでのこの種の中間周波入力回路の特性に比べて、選択チャネルの中間周波数に対して高利得特性を得ることができるだけでなく、上側隣接チャネルの中間周波数成分及び下側隣接チャネルの中間周波数成分に対してそれぞれ高いトラップ特性を得ることができるようになり、中間周波入力回路の特性を全体的に良好にすることができるという効果がある。
【図面の簡単な説明】
【図１】本発明による中間周波入力回路の一つの実施の形態を示す回路構成図である。
【図２】図１に図示された中間周波入力回路における周波数特性の一例を示す特性図である。
【図３】図１に図示された中間周波入力回路における周波数特性の他の一例を示す特性図である。
【図４】既知の代表的な中間周波入力回路の構成の一例を示す回路図である。
【図５】図４に図示された中間周波入力回路における周波数特性の一例を示す特性図である。
【符号の説明】
１  中間周波入力回路
１1 、１2 、３1 、３2   入力端
１3 、１4 、２1 、２2   出力端
１5   電源端子
２  周波数混合回路
３  中間周波増幅回路
４  第１コンデンサ
５  第１インダクタ
６  第２コンデンサ
７  第２インダクタ
８  第３インダクタ
９  第３コンデンサ
１０  第４コンデンサ
１１  第１抵抗
１２  第５コンデンサ
１３  第２抵抗
１４  第３抵抗
１５  第６コンデンサ
１６、１７  出力トランジスタ
１８、１９  入力トランジスタ
２０  抵抗
２１  コンデンサ
【図１】
0003648113.tif 000002
【図２】
0003648113.tif 000003
【図３】
0003648113.tif 000004
【図４】
0003648113.tif 000005
【図５】
0003648113.tif 000006